(57)【要約】      （修正有）【課題】密閉水槽と下部水槽を様々な用途と装飾を可能にして、好みのディスプレイ効果を色々と演出することができ、水の入れ替え、水槽の掃除、魚の入れ替えを容易に簡便に短時間で実施でき、餌の供給も任意の時期に容易に実施でき、水の補給は自由にでき、時間もかからない等々の優れた効果を有するファッション水槽を提供する。【解決手段】大気開放型の水槽１００に、これの水中に下部の連通部２０１を浸漬可能にして昇降移動可能に、又は昇降移動可能と水平移動可能に、密閉水槽２０２を設け、前記密閉水槽２０２の上壁又は上部側壁に空気抜き口８０１を設け、前記空気抜き口８０１からの空気出入りを制限する開閉栓、開閉弁８０４、開閉蓋等の開閉体を設置したことを特徴とするファッション水槽。【選択図】図５
2009189361.tif 000002
【特許請求の範囲】
【請求項１】
大気開放型の水槽に、これの水中に下部の連通部を浸漬可能にして昇降移動可能に、又は昇降移動可能と水平移動可能に、密閉水槽を設け、前記密閉水槽の上壁又は上部側壁に空気抜き口を設け、前記空気抜き口からの空気出入りを制限する開閉栓、開閉弁、開閉蓋等の開閉体を設置したことを特徴とするファッション水槽。
【請求項２】
大気開放型の水槽に、これの水中に下部の連通部を浸漬可能にして昇降移動可能に、又は昇降移動可能と水平移動可能に、密閉水槽を設け、前記密閉水槽の上壁又は側壁上部に空気抜き口を設け、前記空気抜き口をその外側で差圧開閉する開閉蓋を設置したことを特徴とするファッション水槽。
【請求項３】
大気開放型の水槽に、これの水中に下部の連通部を浸漬可能にして昇降移動可能に、又は昇降移動可能と水平移動可能に、密閉水槽を設け、前記密閉水槽の上壁又は側壁上部に空気抜き口を設け、前記空気抜き口を外側で差圧開閉する開閉蓋を設置し、その下方側壁に水の流入口とそれを外側で差圧開閉する開閉蓋を設置したことを特徴とするファッション水槽。
【請求項４】
大気開放型の下部水槽に、下部に連通部を形成し、支持用の脚立を装着してなる密閉水槽を昇降・水平移動自在に浸漬し、前記密閉水槽の上壁又は側壁上部には空気抜き口を設け、この空気抜き口に吸引パイプを接続し、吸引パイプに開閉弁を介して吸引ポンプを接続したことを特徴とするファッション水槽。
【発明の詳細な説明】
【技術分野】
【０００１】  本発明は、鑑賞魚用のファッション水槽に関するものである。
【背景技術】
【０００２】  鑑賞魚用水槽の従来公知例として、特許文献１がある。特許文献１で紹介の鑑賞魚用水槽を記載内容をそのままに以下に紹介する。
鑑賞魚用水槽の外観の形状に関しては、いろいろな工夫がなされ、長方形や球形等、色々な形のものが市販されている。しかしながらその水面は、おなじ高さの、一面を有するのみで、言わば、平家建の、水槽と言える。希に、水族館のような処にゆくとアーチ形のような、水面に変化を有する水槽も見掛けることもあるが、これはかなり大規模な装置であり、とても、一般の家庭でたのしめるものではない。【０００３】そこで、従来の水槽の水面に、凹凸をつけることで、今まででは見られなかった光景、例えは、魚が上下の水槽間を、自在に泳ぎ回り、時によっては、魚の空中遊泳のような場面を、観察する者に提供しようとして、図６に示すように「密閉水槽（４）の底の部分に、形状任意な中空なパイプ（３）を下にむけて設置し、そのパイプ（３）の下端部（５）が、天板（２）で密閉された下部水槽（１）の天板（２）を貫通するように設置した二階建水槽」を紹介している。この考案は、密閉水槽（４）に静かに水を注ぐと、水はパイプ（３）をつたわり、下部水槽（１）に入り、やがてパイプ（３）の下端部（５）を水中に埋没させる。それでも水を注ぎ続ければ、水は下部水槽（１）の空気層（６）を残して、パイプ（３）を上に昇り、密閉水槽（４）に貯まってきて二階建水槽が完成する。
【特許文献１】実開平０７−７４１６号公報
【発明の開示】
【発明が解決しようとする課題】
【０００４】  しかしながら、上記特許文献１にて紹介の二階建水槽は、次のような課題を有する。
（１）、餌の供給は密閉水槽（４）の上端開放部のみからとなる。このため下部水槽を親魚用室にし密閉水槽を幼魚用のベビー室にする場合は、親魚への餌の供給が困難である。
（２）、天板がある為、密閉水槽（４）を任意の上下や水平等の立体的位置移動をすることができない。
（３）、水の補給は小さい密閉水槽（４）のみからのため、時間がかかる。
（４）、水の入れ替え、水槽の掃除、魚の入れ替えは、密閉水槽（４）を空にしてから天板と分離して外し、天板を下部水槽から外し、下部水槽を空にするなど煩雑で甚だ困難であり時間がかかるものである。
（５）、下部水槽への酸素や空気等の補給はパイプ（３）の下方からのみ可能である。
【課題を解決するための手段】
【０００５】（１）、大気開放型の水槽に、これの水中に下部の連通部を浸漬可能にして昇降移動可能に、又は昇降移動可能と水平移動可能に、密閉水槽を設け、前記密閉水槽の上壁又は上部側壁に空気抜き口を設け、前記空気抜き口からの空気出入りを制限する開閉栓、開閉弁、開閉蓋等の開閉体を設置したことを特徴とするファッション水槽。
（２）、大気開放型の水槽に、これの水中に下部の連通部を浸漬可能にして昇降移動可能に、又は昇降移動可能と水平移動可能に、密閉水槽を設け、前記密閉水槽の上壁又は側壁上部に空気抜き口を設け、前記空気抜き口をその外側で差圧開閉する開閉蓋を設置したことを特徴とするファッション水槽。
（３）、大気開放型の水槽に、これの水中に下部の連通部を浸漬可能にして昇降移動可能に、又は昇降移動可能と水平移動可能に、密閉水槽を設け、前記密閉水槽の上壁又は側壁上部に空気抜き口を設け、前記空気抜き口を外側で差圧開閉する開閉蓋を設置し、その下方側壁に水の流入口とそれを外側で差圧開閉する開閉蓋を設置したことを特徴とするファッション水槽。
（４）、大気開放型の下部水槽に、下部に連通部を形成し、支持用の脚立を装着してなる密閉水槽を昇降・水平移動自在に浸漬し、前記密閉水槽の上壁又は側壁上部には空気抜き口を設け、この空気抜き口に吸引パイプを接続し、吸引パイプに開閉弁を介して吸引ポンプを接続したことを特徴とするファッション水槽。
【発明の効果】
【０００６】  本発明のファッション水槽は、上記構成により、次の優れた効果を呈する。
（１）、下部水槽に密閉用の天板が無いため、上部水槽を任意の上下や水平等の立体的位置に移動させることができる。このため上部水槽と下部水槽を様々な用途と槽間レイアウトや槽内装飾を可能にして、好みのディスプレイ効果を色々と演出することができる。
（２）、水の入れ替え、水槽の掃除、魚の入れ替えは、上部水槽と下部水槽を同時に又は別々に任意に甚だ容易に簡便に実施することができ、時間もがかからない。
（３）、餌の供給は上部水槽の空気抜き口から、下部水槽の上端開放部からとなる。このため下部水槽を親魚用室にし上部水槽を幼魚用のベビー室にする場合は、親魚への餌の供給が任意の時期に容易に実施できる。
（４）、水の補給は小さい上部水槽の空気抜き口から下部水槽の上端開放部から自由にでき、時間もかからない。
（５）、下部水槽への酸素や空気等の補給は、密閉水槽の連通部の直下を除く位置から自由に実施できる。
【発明を実施するための最良の形態】
【０００７】  本発明の（１）のファッション水槽は、大気開放型の下部水槽内に密閉水槽用の水量を含む量の水を入れた後、密閉水槽は、空にし空気抜き口を開放して下部水槽の水中に連通部を浸漬して、密閉水槽内に所要水量を導入し、この後空気抜き口を閉めて密閉水槽を所定量上昇移動させ、この後場合によっては所定位置に水平移動させて、台座や適宜なセッティング具により位置固定して水槽セッティングを完了する。
この過程で任意のタイミングで水槽内ディスプレイ作業を併進することができる。
前記密閉水槽は、円錐台型、角錐台型、又はこれらの逆錐台型、箱型、球型、ロケット型、星型、筒型など好みに合わせた形状にする。
また密閉水槽の下部の側壁や底部等に設ける連通部は、上部の形状の延長部にしてよく、又は円筒や角筒などの筒体、斜め管、曲がり管、鉛直管などの管体、迷路体などに形成する。
上記空気抜き口は、螺合栓や嵌合栓等を設けて開閉可能にする。
本発明の（２）のファッション水槽は、上記（１）の螺合栓や嵌合栓等の代わりに開閉蓋を設けたものであり、大気開放型の下部水槽内に密閉水槽用の水量を含む量の水を入れた後、密閉水槽は、空にして下部水槽の水中に連通部を浸漬し所定量下降させる。この浸漬過程で密閉水槽の上壁又は上部側壁に設けた空気抜き口の開閉蓋が差圧開放して、密閉水槽内に所要水量を導入する。この後密閉水槽を所定量上昇移動させると、この過程で空気抜き口の開閉蓋が逆の差圧現象で閉止して密閉水槽内の水量を維持する。この後場合によっては所定位置に水平移動させて、位置固定して水槽セッティングを完了する。
この過程で任意のタイミングで水槽内ディスプレイ作業を併進することができる。
上記の空気抜き口を差圧開閉する開閉蓋は、大気圧より高い水槽内圧力で外側に開放自由にし、大気圧より低い水槽内空気圧力で密閉状態に閉止する開閉蓋方式にする。これで密閉水槽内への水の流入は、上記（１）の空気抜き口のみに比べ、簡単で且つ短時間で実施することができる。
本発明の（３）のファッション水槽は、空気抜き口に上記（２）の開閉蓋を組み入れ、水の流入口とその開閉蓋を加えた構成であり、大気開放型の下部水槽内に密閉水槽用の水量を含む量の水を入れた後、密閉水槽は、空にし下部水槽の水中に連通部を浸漬し所定量下降させることにより、前記密閉水槽の上壁又は側壁上部に設けた空気抜き口の開閉蓋が外側に差圧開放すると共に、槽側壁に設けた水の流入口の開閉蓋を差圧開放して、密閉水槽内に所要水量を導入する。この後密閉水槽を所定量上昇移動させることにより、その過程で密閉水槽内圧力関係を逆転させ、水の流入口の開閉蓋が逆差圧閉止し、空気抜き口の開閉蓋が逆差圧閉止して、水槽内を密閉し水量を維持する。この後場合によっては所定位置に水平移動させて、位置固定して水槽セッティングを完了する。
この過程で任意のタイミングで水槽内ディスプレイ作業を併進することができる。
上記水の流入口の開閉蓋は、密閉水槽の側壁の高さ方向に単数又は複数配列して下部水槽内水中に浸漬した際、密閉水槽内の空気圧が高くなると外側に開放自由にして連通部から密閉水槽内への水流入を可能にし、しかも水を流入させた後に上昇中と所定位置でのセット後は密閉水槽内の水の下降向きにかかる重力による吸引力で閉動し流入口を密閉状態に閉止する開閉蓋方式にする。
これで密閉水槽内への水流入は、上記（１）（２）の空気抜き口のみに比べ、その浸漬深さに応じて短時間で簡単に実施することができる。
上部各ファッション水槽の密閉水槽は、水槽セッティング位置に適宜な台座を設け或いは適宜なセッティング具により固定する他に、昇降機構や水平移動機構で支持する。而して密閉水槽の昇降機構としては、バネ式昇降・ガイド機構にし、上下ガイド内で、セット位置ではバネ力で位置維持し、密閉水槽の下部水槽内浸漬は、密閉水槽を下方に押し込みバネを伸ばして行い、これが完了後は密閉水槽から手を離すのみでバネ力で上記セット位置まで上昇させる。
密閉水槽の昇降機構は、上記の他に、上下ガイドに開放自在な下降ストッパ付きラチエット機構を併設したもの、カウンターウエイト式昇降機構や、電動モウター式昇降機構、密閉水槽内に重錘を固定した吊上げロープ式昇降機構等々その他適宜な公知の昇降機構を採用すればよい。
また密閉水槽の水平移動機構は、上記昇降機構の上下ガイド機構のまま抱えて下部水槽の水面範囲内で少なくとも下部連通部を自由に水平横方向、水平縦方向などに移動させるものであり、電動走行機構、単なる手動式走行台車機構等公知の水平移動機構を採用すればよい。
本発明の（４）のファッション水槽は、大気開放型の下部水槽に、下部に連通部を形成し、支持用の脚立を装着してなる密閉水槽を昇降・水平移動自在に浸漬し、前記密閉水槽の上壁又は側壁上部には空気抜き口を設け、この空気抜き口に吸引パイプを接続し、吸引パイプに開閉弁を介して吸引ポンプを接続した簡単な構成であり、最も汎用性のある水槽である。
また本発明のファッション水槽は、上記各例の構成を適宜に組み合わせて構成することができる。
【実施例１】
【０００８】１．具体例１
図１に示す具体例１のファッション水槽は、極めて簡易な構成としたものであり、密閉水槽として直方体の密閉水槽２００と球型の密閉水槽２００−２を紹介する。
大気開放型の下部水槽１００に、これの水中に密閉水槽２００、２００−２の下部の連通部２０１、２０１−２を浸漬して昇降移動可能自由にし、密閉水槽２００、２００−２は、下部水槽１００の上梁枠１１０に設けた支持ガイド機構により載置支持したものである。図示していないが下部水槽１００の底部に立設した支持枠台でもよい。
密閉水槽２００の支持ガイド機構は、上梁枠１１０に図示していないがスプリング等による押さえ式の水平ガイド１２０を設けこのガイド溝１２１にカギ型の支持台２２０の被ガイド板２２１を水平スライド移動可能に嵌合したものであり、通常、密閉水槽２００は、カギ型の支持台２２０で底部の四隅を支持され、下降させる際は、カギ型の支持台２２０をスプリングに抗して外方にスライドさせて支持を開放した後に行う。密閉水槽２００−２の支持ガイド機構は、上梁枠１１０に底部支持台２２０−２を水平にスライド開口移動可能に取り付けたものである。
また密閉水槽２００、２００−２は、前記密閉水槽２００の上壁２０２、２０２−２に空気抜き口７０１、７０１−２を設けこの空気抜き口７０１、７０１−２に外側から螺合栓７０２、７０２−２を開閉可能に設置したものである。
＜使用ステップ例＞
（１）、大気開放型の下部水槽１００内に、密閉水槽２００、２００−２用の収容水量を含む量の水を下部水槽１００の上端開放部から流入する。
（２）、この後支持台２２０、２２０−２を両側に水平スライド移動させて底部支持を解除し、空気抜き口７０１、７０１−２から螺合栓７０２、７０２−２を抜き開放した空の密閉水槽２００、２００−２を、その連通部２０１、２０１−２から下部水槽１００の水中に徐々に下降浸漬して、密閉水槽２００、２００−２内に所要水量を導入する。
（３）、この後、空気抜き口７０１、７０１−２に螺合栓７０２、７０２−２を螺合して閉め、密閉水槽２００、２００−２を上昇移動させて支持台２２０、２２０−２部を通過させ、支持台２２０、２２０−２の底部の支持位置で上昇移動停止させる。この後、支持台２２０、２２０−２を水槽底部の支持位置まで水平スライド移動させて位置固定して密閉水槽セッティングを完了する。
（４）、水槽内ディスプレイ作業は、この過程における任意のタイミングで併進する。
（５）、密閉水槽２００、２００−２内からの水抜き又は水面レベルの下降変更は、空気抜き口７０１、７０１−２から螺合栓７０２、７０２−２を抜き開放調整すれば槽内水の重力による負圧により外気が空気抜き口７０１、７０１−２から流入して実施することができる。【０００９】２．具体例２
図２に示す具体例２のファッション水槽は、大気開放型の下部水槽１００に、これの水中に下部の連通部２０１を浸漬して昇降移動可能に及び水平移動可能に密閉水槽２００を装着したものであり、前記密閉水槽２００の上壁２０２に空気抜き口７０１を設けこの空気抜き口７０１に外側から螺合栓７０２を開閉可能に設置したものである。
密閉水槽２００の昇降機構は、バネ式昇降・ガイド機構にしてある。これは、密閉水槽２００の上下移動を車輪３０１でガイドする上下ガイド枠３０２と、上端部を上下ガイド枠３０２に接続し、下端部を密閉水槽２００の下部の支持アングル２０５に接続したコイルスプリング３０３により構成してある。
このバネ式昇降・ガイド機構により、図１に示す密閉水槽２００のセット位置ではコイルスプリング３０３のバネ収縮力による吊力で位置維持し、密閉水槽２００を連通部２０１とともに下部水槽１００内水中に浸漬移動するには、密閉水槽２００を手で所定量押し込みコイルスプリング３０３を伸ばして下降移動させて行う。
この後は、手を離すのみで密閉水槽２００はコイルスプリング３０３の伸びから収縮する力によりストッパー３０４まで上昇し、図１に示す元の高さ位置に復帰する。
また密閉水槽２００の水平移動機構は、上記バネ式昇降・ガイド機構の上下ガイド枠３０１の上部アーム４０１に、図示していない電動走行機構で駆動制御される走行車輪４０２を設け、走行車輪４０２を転がり接触自由に収容する断面コ字型の横行ガイドレール４０３を設け、横行ガイドレール４０３を支持し下部水槽１００の上端縁に取り外し可能に螺子止め嵌合金具４０５で取り付けた支持スタンド４０４を設けてなる。この水平移動機構は、密閉水槽２００を上下ガイド枠３０１で抱えたまま下部水槽の水面範囲内で自由に水平横方向移動させるものである。
＜使用ステップ例＞
（１）、大気開放型の下部水槽１００内に、密閉水槽２００用の収容水量を含む量の水を下部水槽１００の上端開放部から流入する。
（２）、この後、空にし空気抜き口７０１から螺合栓７０２を抜き開放した密閉水槽２００を、その連通部２０１から下部水槽１００の水中に徐々に下降浸漬して、密閉水槽２００内に所要水量を導入する。
（３）、この後、空気抜き口７０１に螺合栓７０２を螺合して閉め、密閉水槽２００を所定量上昇移動させ、この後所定位置に水平移動させて、位置固定して密閉水槽セッティングを完了する。
（４）、水槽内ディスプレイ作業は、この過程における任意のタイミングで併進する。
（５）、密閉水槽２００内からの水抜きは、空気抜き口７０１から螺合栓７０２を抜き開放すれば槽内水の下降による負圧により外気が空気抜き口７０１から流入して実施することができる。【００１０】３．具体例３
図３に示す具体例３のファッション水槽は、大気開放型の下部水槽１００に、これの水中に下部の連通部２０１を浸漬して昇降移動可能に及び水平移動可能に密閉水槽２００を装着し、前記密閉水槽２００の上壁２０２に矩形の空気抜き口５００を設け、この空気抜き口５００の外側にはその矩形一端縁近傍に回転自在に軸支５０１して内外の差圧が無い時、自重閉止状態となり、大気圧より高い水槽内圧力で外側に押し上げられ開放し、水槽内空気圧力が大気圧より低いと自重で閉止し吸引密閉状態となる開閉蓋５０２を開閉自由に設けたものである。
開閉蓋５０２は、空気抜き口５００の外側周縁との圧着部にシール材を貼着した凸部５０３を形成してある。
密閉水槽２００の昇降移動機構と水平移動機構は、前記具体例１と同一の機構にしてありその構成作用の説明を省略する。
＜使用ステップ例＞
（１）、大気開放型の下部水槽１００内に、密閉水槽２００用の収容水量を含む量の水を下部水槽１００の上端開放部から流入する。
（２）、この後、空にした密閉水槽２００を手で押し下げ、その連通部２０１から下部水槽１００の水中に徐々に所定量下降浸漬する。これで密閉水槽２００内の空気圧が高くなり開閉蓋５０２が外側に若干開き空気抜き口５００から内部空気を排出しながら連通部２０１から水が流入して、密閉水槽２００内に所定の水量を導入する。
（３）、この後、密閉水槽２００から手を離すとストッパー３０５迄の所定量上昇移動して定置停止する。この上昇過程では、密閉水槽２００内水位（ヘッド）が下部水槽１００の水位より高くなり、密閉水槽２００内上部の空気圧が負圧状態となる。この圧力転換時点に開閉蓋５０２は自重と吸引力で閉止回動してその周囲の凸部５０３を空気抜き口５００の周囲に圧着して閉止状態となり、密閉水槽２００内水位を維持する。この後所定位置に水平移動させて位置固定し密閉水槽セッティングを完了する。
（４）、水槽内ディスプレイ作業は、この過程における任意のタイミングで併進すればよい。
（５）、密閉水槽２００内からの水抜きは、開閉蓋５０２を手で開けるか又は開閉蓋５０２に付設したアーム５０４を引っ張って開ければ槽内吸引負圧により外気が流入して実施することができる。【００１１】４．具体例４
図４に示す具体例４のファッション水槽は、大気開放型の下部水槽１００に、これの水中に下部の連通部２０１を浸漬して昇降移動可能に及び水平移動可能に密閉水槽２００を装着し、前記密閉水槽２００の上壁２０２に具体例２と同一の空気抜き口５００と開閉蓋５０２を設け、側壁２０３に水の流出入口６００を設け、水の流出入口６００には、その内側の上縁近傍に回転自在に軸支６０１して自重垂下して、水槽内圧力が水槽外圧力より高い時にその差圧で外側に開放自由にし、その逆の圧力関係の時その差圧で水の流出入口６００を密閉状態に閉止する開閉蓋６０２を開閉自由に設けたものである。
開閉蓋６０２は水の流出入口６００の周縁との圧着部にシール材を貼着した凸部を６０３形成してある。
密閉水槽２００の昇降移動機構と水平移動機構は、前記具体例２と同一の機構にしてありその構成作用の説明を省略する。
＜使用ステップ例＞
（１）、大気開放型の下部水槽１００内に、密閉水槽２００用の収容水量を含む量の水を下部水槽１００の上端開放部から流入する。
（２）、この後、空にした密閉水槽２００を、その連通部２０１から下部水槽１００の水中に徐々に所定量下降浸漬する。これで密閉水槽２００内の空気圧が高くなり開閉蓋５０２が外側に若干開き空気抜き口５００から内部空気を排出すると共に開閉蓋６０２がそと側に開き下部水槽１００の連通部２０１からの水の流入を早めて、密閉水槽２００内に所定の水量を短時間で導入する。
（３）、この後、密閉水槽２００から手を離すと所定量上昇移動して定置停止する。
この上昇過程では、密閉水槽２００内水位（ヘッド）が下部水槽１００の水位より高くなり、密閉水槽２００内上部の空気圧が負圧状態となる。この圧力転換時点に開閉蓋５０２は自重で閉止回動してその周囲を空気抜き口５００の周囲に吸引圧着閉止状態となる。これと同時に閉板６０２が閉止して密閉水槽２００内水位を維持する。この後所定位置に水平移動させて、位置固定して密閉水槽セッティングを完了する。
（４）、水槽内ディスプレイ作業は、この過程における任意のタイミングで併進する。
（５）、密閉水槽２００内から下部水槽１００への水抜きは、開閉蓋５０２を手で開けるか又は開閉蓋５０２に付設したアーム５０４を引っ張って開ければ槽内吸引負圧により外気が流入させて実施することができる。【００１２】５．具体例５
図５に示す具体例５のファッション水槽は、大気開放型の下部水槽１００に、下部に連通部２０１を形成し、支持用の脚立３００を装着してなる密閉水槽２００を昇降・水平移動自在に浸漬した簡単なものである。
前記密閉水槽２００の上壁２０２には空気抜き口８０１を設け、この空気抜き口８０１に吸引パイプ８０２を接続し、吸引パイプ８０２に吸引ポンプ８０３を接続し、吸引パイプ８０２の中間に大気開放パイプ８０５付きの切り替え式の開閉弁８０４を介設してある。
ポンプ８０３は一般に市販されているピストン・シリンダー式、モーターポンプ等適宜な利便性の良いものを選択設置することができる。
又、脚立３００の下面は開放とし、側面には、門形の魚の出入り開口部２０１Ｓを形成してある。ポンプ８０３に開閉弁が内臓されているものは開閉弁８０４は省略してもよく、この際の空気抜きは吸引パイプ８０２を外して行えばよい。
＜使用ステップ例＞
（１）、大気開放型の下部水槽１００内に、密閉水槽２００用の収容水量を含む量の水を下部水槽１００の上端開放部から流入する。
（２）、この後、空にした密閉水槽２００を脚立３００から下部水槽１００の水中に徐々に下降浸漬する。この浸漬と併行して開閉弁８０４を吸引にして吸引ポンプ８０３を稼動させ密閉水槽２００内の空気を吸引する。
これで密閉水槽２００内の空気を空気抜き口５００から排出して、下部水槽１００内の水を連通部２０１から密閉水槽２００内に所定量を短時間で導入する。
（３）、この後、吸引ポンプ８０３を停止して、開閉弁８０４を閉止して吸引パイプ８０２内空気の流動を停止させる。これにより密閉水槽２００内の水面は、下部水槽１００の水位より高い位置で停止し保持される。
（４）、密閉水槽２００内から下部水槽１００への水抜きは、開閉弁８０４を大気開放側に切り替えるのみで、大気開放パイプ８０５から密閉水槽２００内に外気が流入して密閉水槽２００内の水は自重で下降して下部水槽１００内に戻り流入させればよい。
【産業上の利用可能性】
【００１３】  本発明のファッション水槽は、密閉水槽に稚魚と下部水槽に親魚を飼育し、或いは密閉水槽と下部水槽間に網を設けて異種魚を別々に飼育する等、様々な用途と装飾を可能にして、好みのディスプレイ効果を色々と演出することができる。又、水の入れ替え、水槽の掃除、魚の入れ替えは、甚だ容易に簡便に短時間で実施することができる。更に、餌の供給は任意の時期に容易に実施でき、水の補給も小さい密閉水槽の空気抜き口から下部水槽の上端開放部から等自由にでき、時間もかからない等々の優れた効果を有し、熱帯魚、金魚、宇宙メダカ等の魚類や爬虫類等の飼育を兼ねたディスプレイ装飾産業及び水槽飼育の愛好家に多大な貢献をするものである。
【図面の簡単な説明】
【００１４】
【図１】本発明の具体例１を示す側面説明図である。
【図２】本発明の具体例２を示す側面説明図である。
【図３】本発明の具体例３を示す側面説明図である。
【図４】本発明の具体例４を示す側面説明図である。
【図５】本発明の具体例５を示す側面説明図である。
【図６】従来公知の二階建水槽を示す斜視説明図である。
【符号の説明】
【００１５】１００    下部水槽                      ４０４    支持スタンド
２００    密閉水槽                      ５０２    開閉蓋
２０１    連通部                        ６００    水の流出入口
３０２    上下ガイド枠                  ６０２    開閉蓋
３０３    コイルスプリング              ７０１    空気抜き口
４０２    走行車輪                      ７０２    螺合栓
４０３    横行ガイドレール
【図１】
2009189361.tif 000003
【図２】
2009189361.tif 000004
【図３】
2009189361.tif 000005
【図４】
2009189361.tif 000006
【図５】
2009189361.tif 000007
【図６】
2009189361.tif 000008